(57)【要約】  本発明は、デザイン性・装飾性を向上し、室内の雰囲気を壊すことなく、騒音や死骸を飛散させずに、蚊や蝿などの害虫を捕獲できるものであり、第１空間Ｓ１を形成する内壁１１と、第１空間Ｓ１内へ光を照射するＬＥＤ２と、ＬＥＤ２の光を受けて発光する発光面と、内壁１１との間で第２空間Ｓ２を形成する外壁１２と、第１空間Ｓ１と第２空間Ｓ２とを連通する連通孔４と、第１空間Ｓ１内の空気を第２空間Ｓ２へ吸引する吸引機構５と、第２空間Ｓ２の下方に設けられた虫収容部６と、を具備する。
2011004782.tif 000002
【特許請求の範囲】
【請求項１】
下方に開口する第１空間を形成し、下方に向かって徐々に広がる形状をなす内壁と、
前記第１空間の開口近傍に設けられ、前記第１空間内へ光を照射するＬＥＤと、
前記内壁の内面に形成され、前記ＬＥＤからの光を受けて発光する発光面と、
前記内壁の外側に設けられて該内壁との間で第２空間を形成し、下方に向かって徐々に広がる形状をなす外壁と、
前記内壁に形成され、前記第１空間と前記第２空間とを連通する連通孔と、
前記連通孔にもしくは連通孔に臨んで設けられ、前記第１空間内の空気を前記第２空間へ吸引する吸引機構と、
前記第２空間の下方に設けられた虫収容部と、を具備し、
前記第１空間内へ誘引した虫を前記第２空間へ吸引して、前記虫収容部に落下させる捕虫用照明器具。
【請求項２】
前記外壁の上端に設けられ、照明器具を着脱可能に取り付ける取付具をさらに具備している請求項１記載の捕虫用照明器具。
【請求項３】
前記第１空間と前記第２空間とを連通して、前記第２空間内へ吸引した虫の大きさよりも小さい径を有し、前記第１空間内に前記第２空間内からの空気を上方に流す第１通気孔が、前記内壁の下方に形成される請求項１記載の捕虫用照明器具。
【請求項４】
前記第２空間内へ吸引した虫の大きさよりも小さい径を有する第２通気孔が、前記外壁のうちの前記虫収容部の上方の領域に形成さる請求項１記載の捕虫用照明器具。
【請求項５】
前記発光面が、前記内壁の内面に蛍光体物質を塗布して形成され、前記ＬＥＤからの光を受けて色変換する請求項１記載の捕虫用照明器具。
【請求項６】
前記取付具が、規格化された口金を有したものである請求項２記載の捕虫用照明器具。
【請求項７】
前記第１空間内へ誘引した虫を前記第２空間内へ吸引する際、前記吸引機構に衝突して落下した虫を収容するように前記吸引機構の下方に設けられた板状を成す虫破片受皿を具備する請求項１記載の捕虫用照明器具。
【請求項８】
前記虫破片受皿が、前記虫破片受皿と内壁とに介在して設けられた支持部材によって、前記第１空間内で支持される請求項７記載の捕虫用照明器具。
【請求項９】
前記虫破片受皿のうち前記第１空間の開口に対向する面に蛍光体物質を塗布して形成された光反射面が、前記ＬＥＤからの光を受けて色変換する請求項７記載の捕虫用照明器具。
【請求項１０】
前記吸引機構が、ファンを備える請求項１記載の捕虫用照明器具。
【請求項１１】
前記第２空間内にオゾンを放出するオゾン発生器を更に備える請求項１記載の捕虫用照明器具。
【請求項１２】
前記虫収容部が、脱着可能に設けられている請求項１記載の捕虫用照明器具。
【発明の詳細な説明】
【技術分野】
【０００１】
この発明は、例えば飲食店の店内に設けて、蚊や蝿などの害虫を捕獲するための捕虫用照明器具に関するものである。
【背景技術】
【０００２】
蚊や蝿などの害虫を捕獲するための捕虫用照明器具は、先行文献１に記載されているように、ケーシングの一方の開放端側に光源を配置し、ケーシングの内部に上記光源に集まってきた虫を吸引するための回転ファンを組込み、ケーシングの他方の開放端側に上記回転ファンで吸引した虫を捕集するための捕集袋を取外し可能に取りつけるものがある。【０００３】
しかしながら、このような捕虫用照明器具は、光源が剥き出しでありデザイン性に欠けるとともに、形状も大きく見栄えが悪く装飾性を損ない、例えば飲食店の室内に備えた場合には、店内の雰囲気を壊すという問題がある。【０００４】
また、先行文献２に記載されているように、前面開口の略直方体を有し、誘虫作用を有する光源と、前記光源の近傍に配置される複数の電撃格子とを備え、電撃格子に高電圧を印加することで、電撃格子に接触又は近接した虫を感電させて殺すものがある。【０００５】
しかしながら、このような殺虫装置は、虫を感電させる際に、感電音による騒音を生じるとともに、感電による衝撃により、害虫の死骸が飛散するという問題があり、衛生上問題となる。
【先行技術文献】
【特許文献】
【０００６】
【特許文献１】特開２００１−２３１４２４号公報
【特許文献２】特開２００１−２５２０００号公報
【発明の概要】
【発明が解決しようとする課題】
【０００７】
そこで本発明は、上記問題点を一挙に解決するためになされたものであり、見栄えをよくすることによりデザイン性・装飾性を向上し、室内の雰囲気を壊すことがないとともに、騒音や死骸（その一部）の飛散がせずに、蚊や蝿などの害虫を捕獲することをその主たる所期課題とするものである。
【課題を解決するための手段】
【０００８】
すなわち本発明に係る捕虫用照明器具は、下方に開口する第１空間を形成し、下方に向かって徐々に広がる形状をなす内壁と、前記第１空間の開口近傍に設けられ、前記第１空間内へ光を照射するＬＥＤと、前記内壁の内面に形成され、前記ＬＥＤからの光を受けて発光する発光面と、前記内壁の外側に設けられて該内壁との間で第２空間を形成し、下方に向かって徐々に広がる形状をなす外壁と、前記内壁に形成され、前記第１空間と前記第２空間とを連通する連通孔と、前記連通孔にもしくは連通孔に臨んで設けられ、前記第１空間内の空気を前記第２空間へ吸引する吸引機構と、前記第２空間の下方に設けられた虫収容部と、を具備し、前記第１空間内へ誘引した虫を前記第２空間へ吸引して、前記虫収容部に落下させることを特徴とする。【０００９】
このようなものであれば、内壁及び外壁が下方に向かって徐々に広がる回転体形状であり、室内のどこから見たときでもデザイン性を有する照明に見えるので見栄えが良く、室内の雰囲気を壊すことがない。また、光源にＬＥＤを使っているため、装置の小型化及び軽量化が可能であり取り扱いが容易であり、特に、天井に吊り下げる際に、容易に取り付けることができる。さらに、ＬＥＤから照射した光で発光面が発光するため、虫を誘引させるのに効果的な発光量をわずかな光源で得ることができ、電力の消費を抑えることができる。加えて、取付具によって、着脱可能に取り付けることができるため、メンテナンスや備品の交換が容易に行える。その上、吸引機構によって虫を第２空間内に吸引させるため、一度吸引された虫が再び第２空間外へ逃げ出すことを防ぐことができる。【００１０】
天井等への取付をより容易化するためには、前記外壁の上端に設けられ、照明器具を着脱可能に取り付ける取付具をさらに具備しているものが好ましい。【００１１】
さらに、第２空間に吸引された虫が第２空間外へ逃げ出すことがないようにするとともに、ＬＥＤの冷却を行うことによりＬＥＤの寿命を長く保持するためには、前記第１空間と前記第２空間とを連通して、前記第２空間内へ吸引した虫の大きさよりも小さい径を有し、前記第１空間内に前記第２空間内からの空気を上方に流す第１通気孔が、前記内壁の下方に形成されることが望ましい。このようなものであれば、この第１通気孔が第２空間の開口近傍に形成されるため、第２空間の開口から吸引機構へ向かう空気の流れが形成されて、第２空間に少しでも入り込んだ虫をより確実に吸引することができるうえに、ＬＥＤ付近に空気の流れが形成されてＬＥＤに対する冷却効果も得られる。【００１２】
さらに効果的に虫を捕獲するためには、前記発光面が、前記内壁の内面に蛍光体物質を塗布して形成され、前記ＬＥＤからの光を受けて色変換することが望ましい。【００１３】
吸引機構の吸引力を増大させて第１空間内の虫を効果的に吸引するとともに、第２空間に吸引された虫が第２空間外へ逃げ出すことがないようにするためには、前記第２空間内へ吸引した虫の大きさよりも小さい径を有する第２通気孔が、前記外壁のうちの前記虫収容部の上方の領域に形成さることが望ましい。【００１４】
また、照明器具の取り付けをさらに容易にして、多様な場で使用可能とするためには、前記取付具が、規格化された口金を有したものであることが望ましい。【００１５】
虫の死骸の飛散をより確実に防ぐとともに、開口から見える吸引機構を目立たないものにして、よりデザイン性・装飾性を向上させるためには、前記第１空間内へ誘引した虫を前記第２空間内へ吸引する際、前記吸引機構に衝突して落下した虫を収容するように前記吸引機構の下方に設けられ、板状を成す虫破片受皿を具備することが望ましい。【００１６】
内壁と虫破片受皿との間に間隙を設けることで吸引機構による吸入気流を大きくして、虫をより吸引しやすくするためには、前記虫破片受皿が、前記虫破片受皿と内壁とに介在して設けられた支持部材によって、前記第１空間内で支持されることが望ましい。【００１７】
さらに、ＬＥＤからの光の反射面積を大きくして、より効果的に虫を誘引するとともに、照明としての照度を増加させるためには、前記虫破片受皿のうち前記第１空間の開口に対向する面に蛍光体物質を塗布して形成された光反射面が、前記ＬＥＤからの光を受けて色変換することが望ましい。【００１８】
また、吸引機構の具体的態様としては、ファンを備えるものが考えられる。【００１９】
また、第２空間へ吸引した虫を確実に殺すとともに、虫から生じる臭いを消したり、第２空間内の空気を殺菌したりして、通気孔から室内へ排出される空気を清潔なものにするためには、前記第２空間内にオゾンを放出するオゾン発生器を更に備えることが望ましい。【００２０】
さらに、虫収容部内の虫を容易に取り除くことができ、第２空間内の手入れを容易とするためには、前記虫収容部が、脱着可能に設けられていることが望ましい。
【発明の効果】
【００２１】
このように構成した本発明によれば、見栄えをよくすることによりデザイン性・装飾性を向上し、室内の雰囲気を壊すことがないとともに、騒音や死骸の飛散（その一部）がせずに、蚊や蝿などの害虫を捕獲することができる。
【図面の簡単な説明】
【００２２】
【図１】本実施形態に係る捕虫用照明器具を模式的に示す構成図である。
【符号の説明】
【００２３】
１・・・捕虫用照明器具
１１・・・内壁
１１１・・・つば部
１１２・・・第１通気孔
１２・・・外壁
１２１・・・第２通気孔
１２２・・・開口部
Ｓ１・・・第１空間
Ｓ２・・・第２空間
２・・・ＬＥＤ
２１・・・ＬＥＤ載置板
３・・・取付具
４・・・連通孔
５・・・吸引機構
６・・・虫収容部
６１・・・収容体
６２・・・円環板
７・・・磁石
８・・・虫破片受皿
９・・・支持部材
９１・・・取付部
９２・・・支持柱
１０・・・オゾン発生器
【発明を実施するための形態】
【００２４】
以下に本発明に係る捕虫用照明器具１について、図面を参照して説明する。なお、図１は本実施形態に係る捕虫用照明器具１を模式的に示す構成図である。
【００２５】
＜１．装置構成＞
本実施形態の捕虫用照明器具１は、例えば室内における天井に吊り下げ固定され、蚊や蝿などの害虫を捕獲するのに用いられるものであって、図１に示すように、第１空間Ｓ１と、ＬＥＤ２と、第２空間Ｓ２と、取付具３と、連通孔４と、吸引機構５と、虫収容部６と、磁石７と、虫破片受皿８と、支持部材９と、オゾン発生器１０とを備えたものである。
【００２６】
以下、各部を具体的に説明する。
第１空間Ｓ１は、鉛直下方に開口する回転体形状を成すものであり、下方に向かって徐々に広がる釣鐘型形状の内壁１１から形成される。また、当該開口は、蚊や蝿などの害虫が第１空間内へ侵入できるように十分な大きさを有して形成されている。さらに、内壁１１の内面には、後述のＬＥＤ２から照射された光を受けて発光する発光面が形成されている。これにより、捕虫用照明器具１は、照明器具として用いるのに十分な発光量を得ることができる。さらに加えて、発光面は、虫を効果的に第１空間Ｓ１内へ誘引するために、ＬＥＤ２からの光を受けると青又は紫色に色変換するように内壁１１の内面に蛍光体物質を塗布して形成さている。
【００２７】
また、内壁１１は、第１空間Ｓ１の下方の開口の中心から内側に向かって突出するように形成された円環形状を成すつば部１１１を備える。
【００２８】
ＬＥＤ２は、例えば発光素子を砲弾型の樹脂でモールドしたタイプのもので、虫を誘引させるのに効果的な紫外線を第１空間Ｓ１内へ照射して、虫を第１空間Ｓ１内へ誘引するものである。また、ＬＥＤ２は、第１空間Ｓ１の開口近傍に設けられている。より詳細には、当該開口のほぼ全周に亘って備えられているＬＥＤ載置板２１上において、互いに等間隔に設けられている。なお、ＬＥＤ載置板２１は、円環状又は部分円環状を成し、例えばネジによってつば部１１１に取り付けられている。
【００２９】
第２空間Ｓ２は、鉛直下方に開口する回転体形状を成すものであり、内壁１１と下方に向かって徐々に広がる釣鐘型形状の外壁１２とによって形成される。また、第１空間Ｓ１と第２空間Ｓ２とを連通する連通孔４が、内壁１１の上部に形成されている。
【００３０】
外壁１２の上端には、捕虫用照明器具１を例えば室内における天井に取り付けて固定するための取付具３が設けられている。より詳細には、本実施形態に係る取付具３は、後述するオゾン発生器１０の上面に設けられている。また、取付具３は、規格化された口金を有したものであり、捕虫用照明器具１を容易に取り外しすることができる。
【００３１】
吸引機構５は、連通孔４にもしくは連通孔４に臨んで設けられており、第１空間内の空気を第２空間へ吸引するものである。これにより、第１空間内に誘引された虫は速やかに第２空間内へと吸引される。
【００３２】
なお、本実施形態に係る吸引機構５は、第１空間Ｓ１内の空気を効率的に第２空間Ｓ２内へ送り込むために、内壁１１の上部に形成される連通孔４にファンを備えたものである。
【００３３】
虫収容部６は、第２空間Ｓ２へ吸引されたあと第２空間の下方に落下する虫を収容するためのものであって、上面が開口した断面コの字形状の回転体を成す収容体６１と収容体６１の上面開口のうち内側の略半面を覆う円環板６２とから成り、第２空間Ｓ２の下方開口をほぼ全て塞ぐように設けられている。また、収容した虫が外部から目に付かないように不透明な材質から成る。なお、本実施形態に係る虫収容部６は、円環板６１の上面のほぼ全面に設けられた磁石７によってＬＥＤ載置板２１に脱着可能に設けられている。
【００３４】
また、内壁１１の下端部には、第１空間と第２空間とを連通し、虫の大きさよりも小さい径を有した第１通気孔１１２が設けられている。これにより、吸引機構５の吸引力を増大させることができるので、第１空間Ｓ１内の虫を第２空間Ｓ２内へ効果的に吸引することができる。さらに、第２空間Ｓ２内から第１空間Ｓ１内へ送られた空気は、ＬＥＤ２の際を通って第１空間Ｓ１の上方に流れるので、ＬＥＤ２は常に冷却され寿命を長くすることができる。
【００３５】
さらに、外壁１２のうちの虫収容部６より上方の領域には、第２空間Ｓ２と外部とを連通し、第１通気孔１１２とほぼ同じ径を有する第２通気孔１２１が複数形成されている。これにより、第２空間Ｓ２内の虫を外部に逃がすことを防ぐとともに、吸引機構５の吸引力をさらに増大させることができる。さらに、通気孔１２１は、外壁１２の下方に形成されており、これにより第２空間Ｓ２内の空気が上方から下方へと流れるようになるので、第２空間Ｓ２内の虫が虫収容部６に落下しやすくなる。
【００３６】
虫破片受皿８は、第１空間Ｓ１内へ誘引した虫を前記第２空間内へ吸引する際、吸引気孔５に衝突して落下した虫を収容するためのものであって、中心よりも外側が高くなるように湾曲した円盤形状を成しており、虫破片受皿８と内壁１１との間に介在して設けられた支持部材９によって第１空間Ｓ１の中心より僅かに上方に支持されている。また、虫破片受皿８のうち前記第１空間の開口に対向する面には蛍光体物質を塗布して、ＬＥＤ２からの光を受けて、蛍光灯や室内用の電球の用に白色に色変換する光反射面が形成されている。
【００３７】
また、支持部材９は、虫破片受皿８の中心にネジによって取り付けられた取付部９１及び取付部９１から内壁２１の上端に向かって延びる複数の棒状の支持柱９２とから形成されている。
【００３８】
オゾン発生器１０は、第２空間Ｓ２内にオゾンを放出して、第２空間Ｓ２内へ吸引された虫に対して殺虫効果を増大させ、さらに第２空間Ｓ２内の空気を殺菌及び消臭するものである。また、オゾン発生器１０は、第２空間Ｓ２全体に効率よくオゾンが行き渡るように、吸引機構５の上方に備えられている。より詳細には、オゾン発生器１０は、吸引機構５の上方であり、外壁１２の上部に形成された開口部１２２に備えられている。
【００３９】
＜２．本実施形態の効果＞
このように構成した本実施形態に係る捕虫用照明器具１によれば、見栄えをよくすることによりデザイン性・装飾性を向上し、室内の雰囲気を壊すことがないとともに、騒音や死骸の飛散（その一部）がせずに、蚊や蝿などの害虫を捕獲することができる。
【００４０】
＜３．その他の変形実施形態＞
なお、本発明は前記実施形態に限られるものではない。
【００４１】
例えば、前記実施形態のＬＥＤ載置板は、つば部にネジで取り付けられるものであったが、内壁に直接取り付けたものでもよいし、さらには内壁と一体となったものであってもよい。また、取り付け機構もネジには限らず、接着剤等であっても良い。
【００４２】
また、前記実施形態の吸引機構は、内壁の上部開口部にファンを備えたものであったが、吸引ポンプなどの吸引機能を用いて、第１空間内の空気を連通孔を通して第２空間内へ送り込むものであってもよい。
【００４３】
さらに、本実施形態の虫収容部は、円環板の上面のほぼ全面に設けられた磁石によってＬＥＤ載置板に脱着可能に設けられていたが、例えばネジによって外壁又は内壁と脱着可能に設けられていてもよい。
【００４４】
その他、前述した実施形態や変形実施形態の一部又は全部を適宜組み合わせてよいし、本発明は前記実施形態に限られず、その趣旨を逸脱しない範囲で種々の変形が可能であるのは言うまでもない。
【産業上の利用可能性】
【００４５】
本発明により、見栄えをよくすることによりデザイン性・装飾性を向上し、室内の雰囲気を壊すことがないとともに、騒音や死骸（その一部）を飛散させずに、蚊や蝿などの害虫を捕獲できる捕虫用照明器具を提供することができる。
【図１】
2011004782.tif 000003
【国際調査報告】
2011004782.tif 000004
2011004782.tif 000005
2011004782.tif 000006
2011004782.tif 000007